(57)【特許請求の範囲】
【請求項１】
側面の開口から部品を横嵌めにより配設する第１側ケースと、この第１側ケースに各部品を嵌め込んだ状態で第１側ケースの開口を閉塞するように取着される第２側ケースと、を備えた回路遮断器において、前記第１側ケース及び第２側ケースの一方に、第１側ケース及び第２側ケースの他方側に突出する複数の引掛部を設け、第１側ケース及び第２側ケースの他方に、各引掛部が引掛けられる被引掛部を各々設けるとともに外側から被引掛部方向に連通し、治具を挿入したときに引掛部を抑圧して被引掛部との引掛け状態を解除する解除孔を形成し、前記各側ケースの上面に、複数の引掛部及び被引掛部のうちの少なくとも一組方向に連通する通孔を設けるとともに、この通孔に少なくとも一組の引掛部及び被引掛部のうちの引掛部側を臨ませ、該引掛部を被引掛部に引掛けた状態で引掛部に当接して通孔を塞ぐカバーを取着したことを特徴とする回路遮断器。
【請求項２】
前記引掛部及び被引掛部を、各側ケースの高さ方向上下、かつ、両端方向の少なくとも４ヶ所に形成したことを特徴とする請求項１記載の回路遮断器。
【請求項３】
前記４ヶ所に形成された引掛部及び被引掛部の各引掛方向を上下で互いに異なる方向としたことを特徴とする請求項２記載の回路遮断器。
【請求項４】
前記各側ケースの上面にハンドルを配設するハンドル突部を設け、該ハンドル突部の一端側から前記通孔を連接して形成するとともに前記カバーの差込孔を形成したことを特徴とする請求項１乃至請求項３の何れか記載の回路遮断器。
【請求項５】
前記各側ケースに、解除孔の少なくとも１つを塞ぐシール材を貼着したことを特徴とする請求項１乃至請求項４記載の回路遮断器。
【発明の詳細な説明】
【０００１】
【発明の属する技術分野】
本発明は、ケースを分割して部品を横嵌め式に挿入する回路遮断器に関する。
【０００２】
【従来の技術】
この種の回路遮断器としては、特開平１１−６７０４６号公報に示されるようなものがあった。この従来の回路遮断器は部品を横嵌式に挿入するケースを複数に分割し、各側ケース間に部品を挿入した状態でリベットやねじにより連結していた。
【０００３】
【発明が解決しようとする課題】
ところで上記の従来の回路遮断器にあっては、各側ケースをリベットやねじにより連結しているので、リベットやねじ締め作業の専用の治具が必要であり、各側ケース間の連結作業が煩わしいという問題があった。
【０００４】
本発明は、かかる事由に鑑みて為されたのであり、その目的とするところは、各側ケース間の連結作業が容易となる回路遮断器を提供することにある。
【０００５】
【課題を解決するための手段】
上記目的を達成するために、請求項１の発明において、側面の開口から部品を横嵌めにより配設する第１側ケースと、この第１側ケースに各部品を嵌め込んだ状態で第１側ケースの開口を閉塞するように取着される第２側ケースと、を備えた回路遮断器において、前記第１側ケース及び第２側ケースの一方に、第１側ケース及び第２側ケースの他方側に突出する複数の引掛部を設け、第１側ケース及び第２側ケースの他方に、各引掛部が引掛けられる被引掛部を各々設けるとともに外側から被引掛部方向に連通し、治具を挿入したときに引掛部を抑圧して被引掛部との引掛け状態を解除する解除孔を形成し、前記各側ケースの上面に、複数の引掛部及び被引掛部のうちの少なくとも一組方向に連通する通孔を設けるとともに、この通孔に少なくとも一組の引掛部及び被引掛部のうちの引掛部側を臨ませ、該引掛部を被引掛部に引掛けた状態で引掛部に当接して通孔を塞ぐカバーを取着したことを特徴とする。
【０００６】
請求項２の発明では、請求項１の発明において、前記引掛部及び被引掛部を、各側ケースの高さ方向上下、かつ、両端方向の少なくとも４ヶ所に形成したことを特徴とする。
【０００７】
請求項３の発明では、請求項２の発明において、前記４ヶ所に形成された引掛部及び被引掛部の各引掛方向を上下で互いに異なる方向としたことを特徴とする。
【０００９】
請求項４の発明では、請求項１乃至３の何れかの発明において、前記各側ケースの上面にハンドルを配設するハンドル突部を設け、該ハンドル突部の一端側から前記通孔を連接して形成するとともに前記カバーの差込孔を形成したことを特徴とする。
【００１０】
請求項５の発明では、請求項１乃至４の何れかの発明において、前記各側ケースに、解除孔の少なくとも１つを塞ぐシール材を貼着したことを特徴とする。
【００１１】
【発明の実施の形態】
以下本発明の一実施形態を図１乃至図１４により説明する。
【００１２】
本実施形態の回路遮断器は、両側の合成樹脂製の第１側ケース１Ａと第２側ケース１Ｂとを連結して構成される器体１内に、器体１の幅方向に並設された２つの固定接点２Ａ，２Ｂと、これら各固定接点２Ａ，２Ｂに接離自在に対向する可動接点３Ａ，３Ｂを固着した２つの可動接触子４Ａ，４Ｂと、これらの２つの可動接触子４Ａ，４Ｂを駆動する開閉機構５とを備え、ハンドル６のオンオフ操作により開閉機構５を介して各可動接点３Ａ，３Ｂを各固定接点２Ａ，２Ｂに接離（接触・開離）させる構成となっており、各固定接点２Ａ，２Ｂ及び各可動接触子４Ａ，４Ｂを、器体１の高さ方向に上下に配設するとともに両可動接触子４Ａ，４Ｂの内、高さ方向で２つの固定接点２Ａ，２Ｂ間に介在する一方の可動接触子４Ｂと、他方の可動接触子４Ａの可動接点３Ａが接離する固定接点２Ａとを、各固定接点２Ａ，２Ｂから各可動接点３Ａ，３Ｂが開離した状態で器体１の幅方向から見て交差しない高さ位置に配設してある。
【００１３】
器体１の一端部内には両側ケース１Ａ，１Ｂ間に挟み込むようにして、アルカリ土類金属の水酸化物（例えば水酸化Ｍｇ）を含む合成樹脂材料から成形された中間ケース７を固定しており、第１側ケース１Ａの側壁（外壁）内側の凹部８と中間ケース７の縦壁部３５とで構成される区間内に固定接点２Ａを一端に設けた第１の固定側電路を構成する端子ブロック１０Ａを収納し、中間ケース７の第２側ケース１Ｂ側に設けた凹部９と第２側ケース１Ｂの側壁（外壁）とで構成される区画内に下側の固定接点２Ｂを一端に設けた第２の固定側電路を構成する端子ブロック１０Ｂを収納してある。
【００１４】
端子ブロック１０Ａは、コ状に折り曲げられた端子板１１と、該端子板１１の下片の一端より上方に一体延長され、該延長片１１ａの上端から延長片１１ａに対し直角に折り曲げて端子板１１に対して外向きに一体延長された固定接触子１２Ａと、該固定接触子１２Ａの一端上面にかしめ固定された固定接点２Ａと、端子板１１の下片上に載置されて端子板１１内に収納される略ム字状の鎖錠ばね１３Ａとで構成され、上記第１側ケース１Ａの凹部８の下向き傾斜した底面上に端子板１１の下片を乗せ、凹部８の一端の立ち上がり壁８ａに沿うように延長片１１ａを配置し、立ち上がり壁８ａの上端を越えて固定接触子１２Ａを凹部８の外へ導出して立ち上がり壁８ａと、第１側ケース１Ａの底部より立ち上がった隔壁１４との間に凹部８の底部と同様に傾斜させて一体形成した固定接点配置部１５上に固定接触子１２Ａの先部を配置することにより、端子ブロック１０Ａは凹部８内に配設される。固定接点配置部１５には固定接触子１２Ａの下面側に突出した固定接点２Ａの下端を逃がす凹部１５ａが形成されている。端子板１１は上片の他端から上向きにＴ字片１１ｂを一体に延長形成しており、このＴ字片１１ｂの上端の側方突出部の片側先端を第１側ケース１Ａの内側面に形成してある凸平部２２の上端面に載置する。また端子板１１の側片の側面には鎖錠ばね１３Ａの押さえ片１３ｂ内に挿入され、鎖錠ばね１３Ａのがたつきを防止する突起２３を一体に形成してある。
【００１５】
鎖錠ばね１３Ａと端子板１１は導体接続部たる速結端子を構成するもので、第１側ケース１Ａに中間ケース７を重ね合わせた時に、第１側ケース１Ａの他端部の縦壁部に形成した断面が半円状の斜め下向き溝１６０と中間ケース７の対向壁面に形成した壁に同様な形状の斜め下向き溝１６０とで形成される斜め下向き電線挿入孔１６Ａを介して外部より挿入された電線（図示せず）の芯線が端子板１１の上片と鎖錠ばね１３Ａの鎖錠片１３ａの上端と押さえ片１３ｂの上端との間に圧入され、鎖錠片１３ａ先端により電線の引き抜き方向に対して芯線を鎖錠し且つ、押さえ片１３ｂの上端面で芯線を端子板１１の上片に押し付けることにより、電気的に芯線を接続すると共に、機械的に保持するようになっている。この電線鎖錠を解除するのが解除ハンドル１７でこの解除ハンドル１７は下部側面に設けた回動軸１８が第１側ケース１Ａの内側面の凸平部２２に設けた軸孔２０に回動自在に軸支され且つ中間ケース７の縦壁部３５の壁面に突出させている軸３６を下部他側面に設けた凹部３７に回動自在に軸支してあり、器体１の外側に露出する操作部１７ａを手動操作して回動させることで、下端に設けた駆動突起１９が鎖錠ばね１３Ａの鎖錠片１３ａの一側端の先部を押して鎖錠片１３ａを撓ませ、芯線に対する鎖錠を解除することができるようになっている。図中２１は解除ハンドル１７を常時反手動操作方向に回動付勢する復帰ばねである。
【００１６】
一方端子ブロック１０Ｂは、基本的に端子ブロック１０Ａと同様に端子板１１と、鎖錠ばね１３Ｂと、固定接触子１２Ｂとで構成されているが、端子ブロック１０Ａの端子板１１とは異なり、端子ブロック１０Ｂの端子板１１はその下片の一端より下向きに延長片１１ｃを延長形成し、その延長片１１ｃの先端より器体１の底部と平行するようにして固定接触子１２Ｂを延長形成し、また端子板１１の側片の一端部から直角に延長した奥片１１ｄを形成してある。
【００１７】
鎖錠ばね１３Ｂは、鎖錠ばね１３Ａと同じ構造のものであって、端子板１１の下片上に載置され、端子板１１の側片より突出させた突起２３が押さえ片１３ｂ内に挿入されるようになっている。
【００１８】
この端子ブロック１０Ｂは中間ケース７の凹部９の底部を構成し器体１の底部に略平行に延出形成された横壁部２４上に端子板１１の下片を載置するとともに、凹部９の一端部の縦壁２５に奥片１１ｄを沿わせるとともに縦壁２５の下端と、横壁部２４の一端部との間に形成された切欠２７に端子板１１の一端を嵌めて延長片１１ｃを凹部９外に出すようになっており、中間ケース７を第１側ケース１Ａ側に重ね合わせときに、固定接触子１２Ｂの先部、つまり固定接点２Ｂを設けた下面を第１側ケース１Ａの底部のリブ２６，２６上に載置されるようになっている。つまり固定接点２Ｂは中間ケース７の横壁部２４及び後述する膨出部３０及び両側ケース１Ａ，１Ｂの側壁間で構成される空間で両側ケース１Ａ，１Ｂ間に跨って配置される。尚リブ２６，２６間の凹所は固定接触子１２Ｂの先部にかしめ固定された固定接点２Ｂの固定接触子１２Ｂの下面側に突出した下端部の逃げとなる。
【００１９】
また端子板１１の上片の他端部より上方に延長形成されたＴ字片１１ｂの上端の側方突出部の先端は中間ケース７の壁面に形成してある凸平部２２’の上端面に載置される。
【００２０】
端子ブロック１０Ｂの鎖錠ばね１３Ｂと端子板１１は端子ブロック１０Ａの場合と同様に導体接続部たる速結端子を構成し、第２側ケース１Ｂに中間ケース７を重ね合わせたときに、中間ケース７の凹部９の他端部の縦壁部に設けられた断面半円状の斜め下向き溝１６０とこの斜め下向き溝１６０と同様に第２側ケース１Ｂの他端部の縦壁に設けられた斜め下向き溝１６０とで形成される電線挿入孔１６Ｂから電線が挿入されるとその芯線を鎖錠ばね１３Ｂの鎖錠片１３ａで鎖錠し、押さえ片１３ｂで芯線を端子板１１の上片に押しつけて電線を電気的に接続するともに機械的に鎖錠するようになっている。
【００２１】
この電線鎖錠を解除するのが解除ハンドル１７’で、この解除ハンドル１７’は上記の解除ハンドル１７と同様に下部側面に設けた回動軸１８が中間ケース７の凸平部２２’に設けた軸孔２０に回動自在に軸支され且つ第２側ケース１Ｂの内側壁面に突出させている軸３８を側面に形成してある凹部３７に回動自在に軸支し、器体１の外側に露出する操作部１７ａを手動操作して回動させたときに下端に設けた駆動突起１９が鎖錠ばね１３Ｂの鎖錠片１３ａの一側端の先部を押して鎖錠片１３ａを撓ませて鎖錠状態を解除することができるようになっている。図中２１’は解除ハンドル１７’を常時反手動操作方向に回動付勢する復帰ばねである。
【００２２】
中間ケース７は図８に示すように両側ケース１Ａ，１Ｂの側壁に略平行する縦壁部３５に対して第２側ケース１Ｂ側へ突出して第２側ケース１Ｂの側壁内面に当接する膨出部３０を形成し、この膨出部３０下面より垂下させた壁が上記縦壁２５であり、第２側ケース１Ｂ側に面する側壁、底壁３１、一端部の縦壁３２及び天井壁３３とで囲まれた凹所３４を第１側ケース１Ａ側に設けてある。そして第１側ケース１Ａ側に中間ケース７を突き合わせたときに第１側ケース１Ａ側に組み付けてある端子ブロック１０Ａの固定接触子１２Ａの先端側部が凹所３４の底壁３１の段面３１ａ上に載置され、また天井壁３３が第１側ケース１Ａの内側面より突出している横壁２９の下面に沿うよう配置される。段面３１ａには固定接触子１２Ａにかしめ固定されている固定接点２Ａの下端部を逃がす溝３１ｂを形成してある。また縦壁３２には固定接点２Ａに対応する可動接触子４Ａの自由端を凹所３４内に挿入するための開口部３９を形成してある。
【００２３】
さて可動接触子４Ａ，４Ｂを開閉駆動する開閉機構５は、ラッチ部材たる作動板４３と、クロスバー４０と、作動板４３の一端を係止する段状の係止部５７を備えた第１引き外し板４１と、第２引き外し板４２と、ハンドル６と、コ字状リンク４４等から成り、これらに過電流検出時に開閉機構５を駆動する２つのバイメタル４５，４６、更に短絡電流が流れたときに開閉機構５を駆動する電磁駆動部４７，４８が付加される。
【００２４】
ハンドル６は、操作部６ａと回動部６ｂとハンドル軸６ｃとで構成され、回動部６ｂの両側面の中央に突出したハンドル軸６ｃを第１側ケース１Ａの内側面に形成された軸孔４９と、第２側ケース１Ｂの内側面に形成された軸孔４９とにそれぞれ回動自在に挿入して両側ケース１Ａ，１Ｂ間に保持され、操作部６ａは、両側ケース１Ａ，１Ｂの連結した状態で構成される器体１の上面に開口する窓孔５０に臨むようになっている。またハンドル軸６ｃにはねじりばね５１が装着され、該ねじりばね５１により、ハンドル６はオン操作位置（図１４参照）において、オフ操作方向に付勢されている。
【００２５】
回動部６ｂの下端に設けた軸孔５２にはリンク４４の上側軸４４ａを回動自在に挿入して、リンク４４を介して作動板４３と連結されている。
【００２６】
作動板４３は中央両側に設けた軸受け孔４３ａにリンク４４の下側軸４４ｂを貫挿させることによりリンク４４を介してハンドル６と連結され、器体１内に上下移動自在に配置される。
【００２７】
クロスバー４０は上部の両側面に突出させた軸４０ａを両側ケース１Ａ，１Ｂの内側面に形成した軸孔５２、５２に挿入して両側ケース１Ａ，１Ｂ間に枢支されるもので、図９に示すように軸４０ａよりやや下方の第１側ケース１Ａ側の側部には可動接触子４Ａの側部を横方向から嵌める切溝５４を、また下部の第２側ケース１Ｂ側の側部には可動接触子４Ｂを横方向から嵌める切溝５５を夫々設けてある。そして可動接点側端面には、中間ケース７及び両側ケース１Ａ，１Ｂの側壁の内面に突設してある止片１３０…を、各可動接点３Ａ，３Ｂが各固定接点２Ａ，２Ｂから開離した状態で係入してその底部に当接する凹溝１３１を幅方向に形成してある。
【００２８】
ここで可動接触子４Ａは剛体の導電金属板から構成され、クロスバー４０の切溝５４に側方から挿入されるとともに、切溝５４の後ろに設けた凹み部５４ａにおいて、後部下面と凹み部５４ａの底部との間に圧縮配置される接圧用のコイルばね５３により後部が上方に付勢されるようになっており、クロスバー４０が軸４０ａを中心として回動したときに可動接触子４Ａは切溝５４の開口縁を中心として回動し、自由端にかしめ固定した可動接点３Ａを対応する固定接点２Ａに対して開離・接触させるようになっている。
【００２９】
また可動接触子４Ｂは導電性ばね薄板材からなり、クロスバー４０がオン動作方向に回動したときには下方に押されて撓み、この撓んだ状態からクロスバー４０がオフ動作方向に回動したときには復帰し、その撓みと、復帰とで、先端にかしめ固定した可動接点３Ｂを固定接点２Ｂに対して接触・開離させるようになっている。
【００３０】
クロスバー４０の下端部は、該下端部と、第１側ケース１Ａの底部より垂立させた壁６３との間で圧縮配置されたコイルばね６２により押されて回転力が付与される。
【００３１】
第１引き外し板４１は軸部４１ａと、この軸部４１ａの上部に突出する突出部４１ｂと、軸部４１ａの第２側ケース１Ｂ側寄りに軸部４１ａと直交する面を有する側片部４１ｃとこの側片部４１ｃの上端より一端に一体延出された腕片４１ｄとからなり、軸部４１ａの両端を両側ケース１Ａ，１Ｂの内側面に設けられた軸孔５６、５６に挿入して両側ケース１Ａ，１Ｂ間で回動自在に支持されるもので、突出部４１ｂの上端部には作動板４３の一端が係脱する係止部５７を、また腕片４１ｄの先端上部には電磁駆動部４７の可動鉄心５８の駆動部５８ａに押し駆動される受け部８８を夫々形成している。また側片部４１ｃの下部の第２側ケース１Ｂ側面には、第２の引き外し板４２の下端部端面に設けた対向部４２ａにより押し動かされる受け部５９を形成し、この受け部５９の側面には、軸部４１ａに環部を嵌めるねじりばね６０の両端を係止する係止部６１を設けてある。また側片部４１ｃの下部の第１側ケース１Ａ側面には、電磁駆動部４７を固定保持する導電板７１から垂下されたバイメタル４５の下端に対向し、バイメタル４５の湾曲変位時に押される第１駆動部６９を設けてある。
【００３２】
第２引き外し板４２は中央部の軸孔４２ｂに第１側ケース１Ａの内側面に第１側ケース１Ａの上側近傍から底部近傍にかけて一体形成された隔壁たる分離壁６５の端面の中央部に設けられた軸体６６を挿入して両側ケース１Ａ，１Ｂ間で回動自在に枢支されるので、上述の対向部４２ａの反対側の下部端面には電磁駆動部４８の可動鉄心６７の駆動部６７ａに押し駆動される受け部６８を設けてある。また第２引き外し板４２の上端の第１側ケース１Ａ側の側面には電磁駆動部４８を固持する可動接触子供４Ｂの後端部から垂立させたバイメタル４６の上端に対向し、バイメタル４６の湾曲時に押される第２駆動部７０を設けてある。
【００３３】
薄板金属材からなる導電板７１は電磁駆動部４７を固持するとともにバイメタル４５を溶着固定して垂下させてある。
【００３４】
電磁駆動部４７は、磁性鉄板を逆Ｌに折り曲げてその垂直片の両端を直角に折り曲げて水平断面がコ字状となった固定鉄心７４と、可動鉄心５８と、可動鉄心５８を固定鉄心の両端磁極面に揺動自在に対向支持させるための板ばね（図示せず）とで構成されており、固定鉄心が導電板７１に固持される。而して短絡電流のような過大な電流が導電板７１に流れたときに固定鉄心７４の両側片先端の磁極面に発生する磁力により可動鉄心５８を吸引揺動させて、可動鉄心５８の一側端面に突設してある駆動部５８ａを移動させるのである。
【００３５】
尚電磁駆動部４７の詳細な構成の説明は本発明の要旨でないので省略する。
【００３６】
バイメタル４５は調整螺子７７を螺進させることでバイメタル４５の下端位置を調整することができるようになっている。この調整機構も本発明の要旨ではないので詳細な説明は省略する。
【００３７】
導電板７１の垂直片７１ｃの下端には分電盤内に配設される導電バー（図示せず）を挟む刃受ばね部７８を溶着固定し、またバイメタル４５の下端よりやや上方の板面には可動接触子４Ａに一端が溶着された編組線７９の他端が溶着され、刃受ばね部７８、導電板７１，バイメタル４７，編組線７９，可動接触子４Ａとが電気的に接続されている。
【００３８】
一方電磁駆動部４８を固持する可動接触子４Ｂは後端部にバイメタル４６の下端Ｌ字状折部の横片を載置して溶着固定しバイメタル４６を垂立させている。
【００３９】
電磁駆動部４８は、上記の電磁駆動部４７と同形状に形成された、固定鉄心７４’、板ばね（図示せず）、可動鉄心６７から構成され、固定鉄心７４’が可動接触子４Ｂの後端部に固持される。可動鉄心６７は固定鉄心７４’側の面に突出させ突起（図示せず）を、板ばね７３に揺動自在に支持され、板ばね７は固定鉄心７４’に固持される。固定鉄心７４’の両側片の先端である磁極面は可動鉄心６７に対向し、短絡電流のような過大な電流が可動接触子７Ｂに流れたときに固定鉄心７４’の両側片の磁極面に発生する磁力で可動鉄心６７を吸引揺動させ、可動鉄心６７の一側端面に突設してある駆動部６７ａを移動させるのである。
【００４０】
尚電磁駆動部４８の詳細な構成の説明は本発明の要旨でないので省略する。
【００４１】
またバイメタル４６は調整螺子７７’を螺進させることで上端位置を調整することができるようになっている。この調整機構も本発明の要旨ではないので詳細な説明は省略する。
【００４２】
バイメタル４６の上端よりやや下方の板面には上述の刃受ばね部７８と同様に分電盤内に配設される導電バー（図示せず）を挟む刃受ばね部８１に一端を溶着した編組線８２の他端を溶着してあり、刃受ばね部８１、バイメタル４６、可動接触子４Ｂを電気的に接続している。尚刃受ばね部８１は合成樹脂成形品からなる枠部８３内に収納されている。
【００４３】
而して本実施形態の回路遮断器を組み立てるに当たっては、まず第１側ケース１Ａの凹部８に端子ブロック１０Ａを収納するとともに解除ハンドル１７を復帰ばね２１とともに定位置に組み込む。またハンドル６を所定位置にねじりばね５１とともに組み込み、更に一端部の底部近辺に設けられた刃受ばね部収納部９０に刃受ばね部７８を収納し、導電板７１の縦片７１ｃを第１側ケース１Ａの隔壁９１、９２間のＬ状の隙間に沿わせるように配置するともに隔壁９２の上横壁部９２ａの上面に並行するように外片７１ａを配置し、第１側ケース１Ａの側平内面に形成した分離壁６５の左側壁面（図2において）に電磁駆動部４７及びバイメタル４５を配置する。このとき導電板７１の外片７１ａと、内片７１ｂのＵ字状屈曲部内に第１側ケース１Ａの内側面より突出してある半円状のリブ１０３が嵌まって位置決めする。
【００４４】
そしてクロスバー４０をその切溝５４に可動接触子４Ａを嵌め込むとともにコイルばね５３を凹部５４ａ内に収納して第１側ケース１Ａの所定位置に回動自在に配置する。また作動板４３をリンク４４でハンドル６と連結させて配設する。更に分離壁６５と隔壁９２との間の空間に電磁駆動部４８及びバイメタル４６を収納するとともに、枠部８３とともに刃受ばね部８１を第１側ケース１Ａの上記刃受ばね部８１の刃受ばね部収納部９０より上方に位置する上刃受ばね収納部９３に配置する。このとき枠部８３の下部より一体延設した支持片８３ａの下端の係止爪８３ｂを第１側ケース１Ａに形成した係止孔(図示せず）に係止させて枠部８３を支持するとともに第１側ケース１Ａの前壁の内側面に突出させている断面が半円状の突起９７で枠部８３の下部を支えるようになっている。
【００４５】
また可動接触子４Ｂの中央部の斜め上向きの傾斜部位を、第１側ケース１Ａの底部よりやや上方に位置する分離壁６５の下端より第１側ケース１Ａの他端部方向へ底部に平行し、さらにこの平行部より上向きに傾斜して延長された隔壁９５と第１側ケース１Ａの底部との間に配置して、可動接触子４Ｂの自由端側を隔壁１４の切欠部１４ａを介して固定接触子１２Ｂが配置される空間に配設する。このとき隔壁９５の平行部の下面と第１側ケース１Ａの底部とに夫々突設したリブ９６…で可動接触子４Ｂの後端部を挟んで固定する。またこのとき後端部と内片８０とのＵ字状屈曲部内に第１側ケース１Ａの内側面より突出した半円状のリブ１０３’が嵌まり、位置決めされる。
【００４６】
更に第１引き外し板４１をねじりばね６０とともに定位置に回動自在に配置し、また更に第２引き外し板４１を定位置に回動自在に配置する。
【００４７】
このようにして中間ケース７及びこの中間ケース７の凹部９内に収納する端子ブロック１０Ｂ、解除ハンドル１７’及びその復帰ばね２１’以外を第１側ケース１Ａ側に横方向からの嵌め込みにより組み付けた後に、端子ブロック１０Ｂ、解除ハンドル１７’及び復帰ばね２１’を凹部９に組み付けた中間ケース７を第１側ケース１Ａ側に重ねるように配設する。
【００４８】
ここで中間ケース７を第１側ケース１Ａ側の定位置に配設すると、可動接触子４Ａの自由端側が縦壁３２の開口部３９を介して凹所３４内に配置されるとともに、端子ブロック１０Ａに設けられた固定接触子１２Ａの先端側部が底壁３１の段面３１ａ上に載置されることになり、また軸３６が解除ハンドル１７の凹部３７に嵌まることになる。
【００４９】
一方端子ブロック１０Ｂに設けられた固定接触子１２Ｂが第１側ケース１Ａの底部上のリブ２６上に載置される。また中間ケース７の端部に形成せる下向き段部の下面が第１側ケース１Ａの端部壁に形成した平坦面上に載置される。
【００５０】
この状態で第２側ケース１Ｂを第１側ケース１Ａ側に重ね合わせて連結するのである。このとき第１側ケース１Ａから第２側ケース１Ｂ側へ一体突出させた高さ方向上下及び両端方向に夫々設けた４カ所の弾性係止片１００…の先端の爪状の引掛部１０１が第２側ケース１Ｂ側に対応して設けた突起状の被引掛部１０２に係止されて第１側ケース１Ａと第２側ケース１Ｂとが連結固定されて器体１を構成することになる。この第１側ケース１Ａと１Ｂの連結固定を外す場合には、第２側ケース１Ｂに各被引掛部１０２…に対応させて開口した各解除孔１５０よりドライバ１５１を挿入して対応する各弾性係止片１００…の引掛部１０１を上方へ押圧（抑圧）して、被引掛部１０２との引掛状態を外すことにより、第１側ケース１Ａから第２側ケース１Ｂを外すことができる。尚引掛部１０１と対応する被引掛部１０２の向き、つまり引掛方向を、器体１の上側に位置する２組と、下側に位置する２組 とで異なる方向としており、各側ケース１Ａ，１Ｂ間が上又は下方向に位置ずれしにくくしてある。
【００５１】
第２側ケース１Ｂを被着することにより第２側ケース１Ｂの内側面に設けてある軸孔５２，５６にクロスバー４０の軸４０ａ、第１引き外し板４１の軸部４１ａが回動自在に挿入される。
【００５２】
また各バイメタル４５，４６に対応する調整螺子７７，７７’の頭部は器体１の上面に開口する開口部１０４，底部に開口する開口部１０５に夫々臨むことになり、組立後の動作試験時に最適な動作点が得られるように開口部１０４，１０５を介して動作調整螺子７７，７７’を螺進させてバイメタル４５，４６の初期位置を調整し、その調整後に、上カバー１０６，下カバー１０６’をその器体１の夫々の部位に弾性を利用して嵌め込んで開口部１０４，１０５を被蔽する。ここで開口部１０４は、ハンドル６を倒したときに操作部６ａが図１４に配置されるように窓孔５０に隣接しており、窓孔５０とともに第１，第２側ケース１Ａ，１Ｂの上面に形成された周壁１１２により囲まれハンドル突部を構成している。そしてハンドル突部の外側の開口部１０４に隣接した器体１の上面位置には、器体１を構成する第１側ケース１Ａ側の上側に設けられた弾性係止片１００の上面が臨む通孔１１１を開口している。この通孔１１１側の上記周壁１１２の基部にはハンドル突部内外に連通する差込孔１１３を設けており、上カバー１０６で上記のように開口部１０４を被蔽させる場合、この差込孔１１３に通孔１１１側から上カバー１０６の前端を挿入して上カバー１０６を開口部１０４と、通孔１１１との間の上向き壁面１１５上をスライドさせながら、開口部１０４側の窓孔５０の開口縁に突出させた立て壁１１４に突き当たる位置まで移動させると、図１３に示すように丁度上カバー１０６の後端が通孔１１１の開口縁内に嵌まり込み、弾性係止片１００上面に当接する形で上カバー１０６の前後端方向の動きが規制されて、器体１上に保持されることになる。従って上カバ−１０６により上述のように開口部１０４に対する被蔽と同時に通孔１１１を被蔽し、通孔１１１に臨む弾性係止片１００を不用意に治具等で押圧（抑圧）操作され、引掛部１０１が被引掛部１０２から外されるのを防止できるようなっている。
【００５３】
さて上記のようにして第１、第２側ケース１Ａ，１Ｂを連結して構成された器体１の一端内部には上下方向に導電バーを挟み込むための刃受ばね部７８，８１が収納配設され、これら刃受ばね部７８，８１対応するように器体１の一端部には器体１の端面と両側面とにコ字型に開口した導電バー挿入溝１０７，１０８が形成されることになる。
【００５４】
また器体１の他端部には斜め上向きに開口した一対の電線挿入孔１６Ａ、１６Ｂが並行形成される。
【００５５】
更にこの電線挿入孔１６Ａ、１６Ｂの下方の端面には両側ケース１Ａ，１Ｂの側壁と中間ケース７とで分割された２つの区画の内下側の区画に配置される固定接点２Ｂと可動接点３Ｂとの開閉により発生するガスを排気する排気孔１０９及び器体取付用係止孔１１６が開口し、更に器体１の他端部上面には、図１８に示すように上側の区画に配置される配置される固定接点２Ａと可動接点３Ａとの開閉により発生するガスを斜め上方に排気する排気孔１１０が開口する。
【００５６】
これら両排気孔１０９，１１０は上下に分離し、且つ器体１外部に臨む方向が互いに離れる角度となるため、強制開極時に発生するアークの排出方向が互いに異なり、両極のアークが混じり合うことによる極間短絡を防止することができる。
【００５７】
而して電線挿入孔１６Ａ，１６Ｂに夫々負荷側の電線を挿入して各端子ブロック１０Ａ，１０Ｂに接続し、導電バーを各刃受ばね部７８に接続すれば電路に本実施形態の回路遮断器を挿入することができることになる。
【００５８】
さて上述のように上カバー１０６，下カバー１０６’を取り付けて組立が完成した図１１に示す状態では、引掛部１０１と被引掛部１０２の引掛状態を解除するための解除孔１５０が第１側，第２側ケース１Ａ，１Ｂの側面に露出しているため、不用意に外される恐れがある。
【００５９】
そこで本実施形態では、図１２に示すように少なくともこれら解除孔１５を隠すためのシール材１１７を第１側，第２側ケース１Ａ，１Ｂの外側面に貼着することで最終的に回路遮断器を完成する。このシール材１１７は中央片１１７ａと、中央片１１７ａの両側縁から折り曲げて垂下させた垂下片１１７ｂとからなり、中央片１１７ａを器体１の上面部に貼着するとともに、両側の垂下片１１７ｂ，１１７ｂを夫々第１側，第２側ケース１Ａ，１Ｂの外側面に貼着するようになっており、中央片１１７ａはハンドル突部を露出させる窓孔１１７ｃを設けてある。尚中央片１１７ａの通孔１１１の上部に位置する部位は上カバー１０６上面に貼着されて上カバー１０６が不用意に外されるのを防いでいる。
【００６０】
次に本実施形態の動作を図１３、図１４により説明する。
【００６１】
図１３はオフ状態を示しており、このオフ状態ではハンドル６の操作部６ａが窓孔５０より倒立露出した状態にあり、作動板４３の一端と第１引き外し板４１との係合状態は外れた状態にある。そしてコイルばね６２によりクロスバー４０は図において時計方向に回動するように付勢されており、クロスバー４０の切溝５４に貫挿されている可動接触子４Ａが自由端を上方に移動させた状態にあり、また切溝５５に貫挿させた可動接触子４Ｂはそのばね弾性力により自由端を上方に移動させた状態にあり、夫々の自由端に設けてある可動接点３Ａ，３Ｂが対応する固定接点２Ａ，２Ｂから開離した状態にある。
【００６２】
この状態でハンドル６の操作部６ａを時計方向に回動操作すると、リンク４４の上側軸４４ａが下方向に押し動かされてリンク４４は下側軸４４ｂにより作動板４３を押し下げる。この作動板４３の押し下げにより作動板４３の一端（図において右端）が第１引き外し板４１の係止部５７に当たり、その位置を回動中心として作動板４３は反時計方向に回動し、作動板４３の他端（左端）が図２１に示すようにクロスバー４０の上端に設けてある突起部８４に当たり、クロスバー４０を反時計方向にばね付勢に抗して回動させる。
【００６３】
この回動によりクロスバー４０の切溝５５に貫挿された可動接触子４Ｂが自由端を下向きに移動させる方向に撓むことになり、自由端の可動接点３Ｂを固定接点２Ｂに接触させる。また切溝５４に貫挿された可動接触子４Ａが反時計方向に回動してその自由端の可動接点３Ａを固定接点３Ｂに接触させる。この接触は可動接点３Ｂが固定接点２Ｂに接触するよりも遅れるようなっている。
【００６４】
そしてハンドル６を更に時計方向に回動させると、リンク４４の下側軸４４ｂの位置とハンドル６の回転中心を結ぶ線より上側軸４４ｂが図１４に示すように左方向に移動し、この状態でハンドル６のねじりばね５１、クロスバー４４を付勢するコイルばね６２、更に可動接触子４Ｂのばね力等が均衡して作動板４３の一端と第１引き外し板４１の係止部５７とのラッチ状態が保持され、図１４のオン状態が維持される。
【００６５】
さてオン状態でハンドル６の操作部６ａを反時計方向に回動させると、リンク４４の上側軸４４ａの位置が、ハンドル６の回転中心と、下側軸４４ｂを結ぶ線を右方向に越えて上方へ移動するため作動板４３の左端と第１引き外し板４１の係止部５７とのラッチ状態が解かれ、クロスバー４０はコイルばね６２の付勢力で時計方向に回動するとともに、ハンドル６がねじりばね５１の付勢力でオフ側に急速に回動復帰する。クロスバー４０の時計方向への回動により可動接触子４Ａが時計方向に回動して自由端を上方へ移動させ可動接点３Ａを固定接点２Ａより開離させる。また可動接触子４Ｂが下向きの押し下げが無くなって、そのばね力で元の状態に復帰することになり、自由端の可動接点３Ｂを固定接点２Ｂより開離する。この開離は上記可動接点３Ａが固定接点２Ａから開離するよりも遅れる。この遅れは後述する強制開極時も同様である。
【００６６】
さて図１４に示す上記オン状態において、負荷に過電流が流れると、バイメタル４５，４６は過電流により発熱して湾曲変位することになる。ここで上方から垂下したバイメタル４５は下端が図において左方向に移動するように変位し、また垂立したバイメタル４６は上端が右方向に移動するように変位し、バイメタル４５の下端は第１引き外し板４１の第１駆動部６９を左方向に押し、バイメタル４６の上端は第２引き外し板４２の第２駆動部７０を右方向に押す。つまり両バイメタル４５，４６の自由端は互いに離れる方向に変位する。この変位により第１、２引き外し板４１、４２は時計方向に回動するが、このとき第２引き外し板４２の対向部４２ａが第１引き外し板４１の受け部５９を押して第１引き外し板４１に時計方向の回動力を与える。
【００６７】
ここでバイメタル４５，４６の通電方向が互いに逆方向となっているため、大電流が流れたときに、両バイメタル４５，４６には互いに離れる方向の磁力が発生する。そのためバイメタル４５，４６の湾曲変位を素早くすることができ、その結果強制開極をより速くすることができる。この動作は後述する短絡電流による強制開極時にも有効となる。
【００６８】
次に第１引き外し板４１が時計方向に回動すると、係止部５７と作動板４３の一端（右端）とのラッチ状態が解除され、作動板４３はリンク４４の下側軸４４ｂを中心として時計方向に回動することになる。そのため作動板４３の他端（左端）によるクロスバー４０の規制が無くなり、クロスバー４０はコイルばねのばね力により時計方向に回動し、可動接触子４Ａ，４Ｂをオフ状態に復帰させ、可動接点３Ａ，３Ｂを固定接点２Ａ，２Ｂから夫々開離させる。
【００６９】
その後電路遮断によりバイメタル４５，４６は元の状態に戻り、第１引き外し板４１はねじりばね６０の付勢により元の位置へ回動復帰し、同時に第２引き外し板４２の対向部４２ａを受け部５９が押し動かして第２引き外し板４２を元へ戻す。またハンドル６はねじりばね５１の付勢によりオフ方向（反時計方向）に回動することになる。
【００７０】
また上記オン状態において、短絡電流のような過大電流が流れると、電磁駆動部４７，４８の固定鉄心７４、７４’に磁力が発生して対応する可動鉄心５８，６７を吸引して揺動させる。これにより可動鉄心５８の駆動部５８ａが第１引き外し板４１の受け部８９を押し、また可動鉄心６７の駆動部６７ａが引き外し板４２の受け部６８を押して夫々を時計方向に回動させる。
【００７１】
過電流が流れたときと同様に第１引き外し板４１が時計方向に回動すると、係止部５７と作動板４３の一端（右端）とのラッチ状態が解除され、作動板４３はリンク４４の下側軸４４ｂを中心として時計方向に回動することになる。そのため作動板４３の他端（左端）によるクロスバー４０の規制が無くなり、クロスバー４０はコイルばね６２のばね力により時計方向に回動し、可動接触子４Ａ，４Ｂをオフ状態に復帰させ、可動接点３Ａ，３Ｂを固定接点２Ａ，２Ｂから夫々開離させる。
【００７２】
その後電路遮断により電磁駆動部４７，４８の固定鉄心７４，７４’に磁力が発生しなくなると、可動鉄心５８，６７は板ばねのばね力により元の状態に戻り、第１引き外し板４１はねじりばね６０の付勢により元の位置へ回動復帰し、同時に第２引き外し板４４を押し動かして元へ戻す。またハンドル６はねじりばね５１の付勢によりオフ方向（反時計方向）に回動することになる。
【００７３】
尚本実施形態に用いる中間ケース７は両側ケース１Ａ，１Ｂに挟み込まれるように器体１内固定されているが、かしめピンを用いて固定するようにしても良い。
【００７４】
【発明の効果】
請求項１の発明は、側面の開口から部品を横嵌めにより配設する第１側ケースと、この第１側ケースに各部品を嵌め込んだ状態で第１側ケースの開口を閉塞するように取着される第２側ケースと、を備えた回路遮断器において、前記第１側ケース及び第２側ケースの一方に、第１側ケース及び第２側ケースの他方側に突出する複数の引掛部を設け、第１側ケース及び第２側ケースの他方に、各引掛部が引掛けられる被引掛部を各々設けるとともに外側から被引掛部方向に連通し、治具を挿入したときに引掛部を抑圧して被引掛部との引掛け状態を解除する解除孔を形成し、前記各側ケースの上面に、複数の引掛部及び被引掛部のうちの少なくとも一組方向に連通する通孔を設けるとともに、この通孔に少なくとも一組の引掛部及び被引掛部のうちの引掛部側を臨ませ、該引掛部を被引掛部に引掛けた状態で引掛部に当接して通孔を塞ぐカバーを取着したので、第１側ケース及び第２側ケースを引掛けて取着するだけで、各側ケース間の連結作業が容易に行え、また、解除孔から治具を挿通させて引掛部を抑圧操作して引掛け状態を解除するため、容易に外すことができなくなるという効果がある。さらに、各側ケース間を組立てた後に、カバーを取着する形となり、そのため解除孔から治具を挿入しても引掛部を抑圧操作することが不可能となり、不用意に外すのを防止できるという効果がある。
【００７５】
請求項２の発明は、請求項１の発明において、前記引掛部及び被引掛部を、各側ケースの高さ方向上下、かつ、両端方向の少なくとも４ヶ所に形成したので、各側ケース間のがたつきが少なくなり、各側ケース間を強固に取着できるという効果がある。
【００７６】
請求項３の発明は、請求項２の発明において、前記４ヶ所に形成された引掛部及び被引掛部の各引掛方向を上下で互いに異なる方向としたので、各側ケース間が上又は下方向に位置ずれしにくくなり、各側ケース間のずれが防止し易くなるという効果がある。
【００７８】
請求項４の発明は、請求項１乃至３の何れかの発明において、前記各側ケースの上面にハンドルを配設するハンドル突部を設け、該ハンドル突部の一端側から前記通孔を連接して形成するとともに前記カバーの差込孔を形成したので、ハンドル突部の一端側からカバーを差込んで取着することができ、カバーの取着作業をワンタッチ化して組立性を向上させることができるという効果がある。
【００７９】
請求項５の発明は、請求項１乃至４の何れかの発明において、前記各側ケースに、解除孔の少なくとも１つを塞ぐシール材を貼着したので、各側ケースの連結後にシールを貼着することにより不用意に外すのを防止できるという効果がある。
【図面の簡単な説明】
【図１】本発明の一実施形態の器体の背面図である。
【図２】同上の分解斜視図である。
【図３】同上の側面図である。
【図４】同上の図３のＡ−Ａ断面図である。
【図５】同上の図３のＢ−Ｂ断面図である。
【図６】同上の上面図である。
【図７】同上の下面図である。
【図８】同上の中間ケースの拡大斜視図である。
【図９】同上のクロスバー部位の一部省略せる拡大分解斜視図である。
【図１０】同上の上カバー取り付け説明用の斜視図である。
【図１１】同上の上カバー取り付け後の斜視図である。
【図１２】同上のシール貼着後の斜視図である。
【図１３】同上のオフ状態の状態説明図である。
【図１４】同上のオン状態の状態説明図である。
【符号の説明】
１  器体
１Ａ  第１側ケース
１Ｂ  第２側ケース
１００  弾性係止片
１０１  引掛部
１０２  被引掛部
１５０  解除孔
１５１  ドライバー
【図１】
0003674455.tif 000002
【図２】
0003674455.tif 000003
【図３】
0003674455.tif 000004
【図４】
0003674455.tif 000005
【図５】
0003674455.tif 000006
【図６】
0003674455.tif 000007
【図７】
0003674455.tif 000008
【図８】
0003674455.tif 000009
【図９】
0003674455.tif 000010
【図１０】
0003674455.tif 000011
【図１１】
0003674455.tif 000012
【図１２】
0003674455.tif 000013
【図１３】
0003674455.tif 000014
【図１４】
0003674455.tif 000015